(57)【要約】【課題】ガイド片の保持を確実にして吊り戸を安定的にガイドできるようにするとともに、ガイド片を含む床面設置部材の厚みを小さくし、床面設置部材を設置する床面に穴をあける等の加工を行う必要をなくした吊り戸の下部振止装置を提供すること。【解決手段】ガイド片４を、先端部の両側に幅方向に突出する係止突起４１を形成した板状部材で構成し、案内溝部材７を、案内溝７１の両側壁にガイド片４の係止突起４１が係止される係合部７２を案内溝７１の長手方向に形成して構成し、ガイド片４を構成する板状部材の係止突起４１を形成した先端部の幅方向の寸法Ｗ１が、案内溝部材７の案内溝７１の開口部の幅方向の寸法Ｗ２よりも小さく設定してなるようにする。【選択図】図１
2019070307.tif 000002
【特許請求の範囲】
【請求項１】
床面に設置されるベース及び該ベースに基端部を支軸を介して揺動突出可能に収納される、磁石を備えたガイド片からなる床面設置部材と、該床面設置部材の揺動突出したガイド片が挿入される吊り戸に配設した、前記磁石を備えたガイド片が吸着される帯状の磁性体を案内溝の天面の長手方向に備えた案内溝部材とからなる吊り戸の下部振止装置において、
前記ガイド片を、先端部の両側に幅方向に突出する係止突起を形成した板状部材で構成し、
前記案内溝部材を、案内溝の両側壁にガイド片の係止突起が係止される係合部を案内溝の長手方向に形成して構成し、
前記ガイド片を構成する板状部材の係止突起を形成した先端部の幅方向の寸法が、前記案内溝部材の案内溝の開口部の幅方向の寸法よりも小さく設定してなる
ことを特徴とする吊り戸の下部振止装置。
【請求項２】
前記ベースに、ガイド片を構成する板状部材の基端部の外側面を支持する支持部を突設してなることを特徴とする請求項１に記載の吊り戸の下部振止装置。
【請求項３】
前記ガイド片を合成樹脂材料で構成するとともに、該ガイド片の支軸が挿通される基端部に金属材料で構成した補強部材を設けてなることを特徴とする請求項１又は２に記載の吊り戸の下部振止装置。
【発明の詳細な説明】
【技術分野】
【０００１】
本発明は、吊り戸の下部振止装置に関し、特に、ガイド片の保持を確実にして吊り戸を安定的にガイドできるようにした吊り戸の下部振止装置に関するものである。
【背景技術】
【０００２】
従来、天井レールにランナーを介して走行自在に吊り下げられた吊り戸に対し、床面に設置した床面設置部材に磁力によって突出可能に設けられたガイドピンやガイド片が、吊り戸の下面に形成された案内溝に挿入されることにより、吊り戸のガイドを行う吊り戸の下部振止装置が知られている（例えば、特許文献１〜２参照。）。
【先行技術文献】
【特許文献】
【０００３】
【特許文献１】特開平１１−７１９５４号公報
【特許文献２】特開平２−２２９３８２号公報
【発明の概要】
【発明が解決しようとする課題】
【０００４】
しかしながら、上記従来の吊り戸の下部振止装置は、ガイドピンやガイド片を突出させた状態を磁力により維持する方式のため、ガイドピンやガイド片の保持が不確実となりやすく、吊り戸を安定的にガイドできないという問題があった。
また、従来の吊り戸の下部振止装置は、ガイドピンやガイド片を含む床面設置部材の厚みが大きいため、床面設置部材を設置する床面に穴をあける等の加工を行う必要があるという問題があった。
【０００５】
本発明は、上記従来の吊り戸の下部振止装置が有する問題点に鑑み、ガイド片の保持を確実にして吊り戸を安定的にガイドできるようにするとともに、ガイド片を含む床面設置部材の厚みを小さくし、床面設置部材を設置する床面に穴をあける等の加工を行う必要をなくした吊り戸の下部振止装置を提供することを目的とする。
【課題を解決するための手段】
【０００６】
上記目的を達成するため、本発明の吊り戸の下部振止装置は、床面に設置されるベース及び該ベースに基端部を支軸を介して揺動突出可能に収納される、磁石を備えたガイド片からなる床面設置部材と、該床面設置部材の揺動突出したガイド片が挿入される吊り戸に配設した、前記磁石を備えたガイド片が吸着される帯状の磁性体を案内溝の天面の長手方向に備えた案内溝部材とからなる吊り戸の下部振止装置において、前記ガイド片を、先端部の両側に幅方向に突出する係止突起を形成した板状部材で構成し、前記案内溝部材を、案内溝の両側壁にガイド片の係止突起が係止される係合部を案内溝の長手方向に形成して構成し、前記ガイド片を構成する板状部材の係止突起を形成した先端部の幅方向の寸法が、前記案内溝部材の案内溝の開口部の幅方向の寸法よりも小さく設定してなることを特徴とする。
【０００７】
この場合において、前記ベースに、ガイド片を構成する板状部材の基端部の外側面を支持する支持部を突設してなるようにすることができる。
【０００８】
また、前記ガイド片を合成樹脂材料で構成するとともに、該ガイド片の支軸が挿通される基端部に金属材料で構成した補強部材を設けてなるようにすることができる。
【発明の効果】
【０００９】
本発明の吊り戸の下部振止装置によれば、床面に設置されるベース及び該ベースに基端部を支軸を介して揺動突出可能に収納される、磁石を備えたガイド片からなる床面設置部材と、該床面設置部材の揺動突出したガイド片が挿入される吊り戸に配設した、前記磁石を備えたガイド片が吸着される帯状の磁性体を案内溝の天面の長手方向に備えた案内溝部材とからなる吊り戸の下部振止装置において、前記ガイド片を、先端部の両側に幅方向に突出する係止突起を形成した板状部材で構成し、前記案内溝部材を、案内溝の両側壁にガイド片の係止突起が係止される係合部を案内溝の長手方向に形成して構成し、前記ガイド片を構成する板状部材の係止突起を形成した先端部の幅方向の寸法が、前記案内溝部材の案内溝の開口部の幅方向の寸法よりも小さく設定してなるようにすることにより、吊り戸に衝撃力がかかって揺れたりしても、ガイド片の係止突起が案内溝部材の案内溝の係合部に係止されることによって、案内溝内に挿入されているガイド片が案内溝から離脱することがなく、ガイド片の保持を確実にして吊り戸を安定的にガイドできる。なお、万一、ガイド片が案内溝から離脱することがあっても、ガイド片は、磁石の吸着作用によって、案内溝の長手方向の任意の位置で案内溝内に挿入されるようにすることができるため、これによっても、吊り戸を安定的にガイドできる。
また、本発明の吊り戸の下部振止装置は、ベース及びガイド片からなる床面設置部材の厚みを小さくすることが可能であるので、床面設置部材を設置する床面に穴をあける等の加工を行う必要がなく、容易に床面に設置することができる。
【００１０】
また、前記ベースに、ガイド片を構成する板状部材の基端部の外側面を支持する支持部を突設してなるようにすることにより、ガイド片にかかる負荷をベースの支持部で支持することで、支軸にかかる負荷を軽減し、支持強度を高めることができる。
【００１１】
また、前記ガイド片を合成樹脂材料で構成するとともに、該ガイド片の支軸が挿通される基端部に金属材料で構成した補強部材を設けてなるようにすることにより、ガイド片が当接することによる異音が生じることを防止しながら、ガイド片にかかる負荷をガイド片の基端部の金属材料で構成した補強部材で支持することで、ガイド片にかかる負荷を支持し、支持強度を高めることができる。
【図面の簡単な説明】
【００１２】
【図１】本発明の吊り戸の下部振止装置の一実施例を示し、（ａ）は正面図、（ｂ）は側面図である。
【図２】同吊り戸の下部振止装置の床面設置部材を示し、（ａ）は側面図、（ｂ）は平面図である。
【図３】同吊り戸の下部振止装置の床面設置部材のガイド片を示し、（ａ）は側面図、（ｂ）は平面図、（ｃ）は正面図である。
【図４】同吊り戸の下部振止装置の案内溝部材の変形実施例を示す正面図である。
【図５】同吊り戸の下部振止装置の床面設置部材の変形実施例を示す正面断面図である。
【図６−１】同床面設置部材のベースを構成する下部ベースを示し、（ａ）は平面図、（ｂ）は正面図である。
【図６−２】同床面設置部材のベースを構成する下部ベースを示し、（ｃ）は右側面図、（ｄ）は斜視図である。
【図７−１】同床面設置部材のベースを構成する上部ベースを示し、（ａ）は平面図、（ｂ）は正面図、（ｃ）は底面図、（ｄ）は（ａ）のＡ−Ａ断面図である。
【図７−２】同床面設置部材のベースを構成する上部ベースを示し、（ｅ）は右側面図、（ｆ）は図７−１（ａ）のＢ−Ｂ断面図である。
【図８−１】同床面設置部材のベースを構成するカバー部材を示し、（ａ）は平面図、（ｂ）は正面図、（ｃ）は底面図である。
【図８−２】同床面設置部材のベースを構成するカバー部材を示し、（ｄ）は右側面図、（ｅ）は図８−１（ａ）のＡ−Ａ断面図である。
【図９−１】同床面設置部材のガイド片を示し、（ａ）は平面図、（ｂ）は正面図、（ｃ）は底面図である。
【図９−２】同床面設置部材のガイド片を示し、（ｄ）は右側面図、（ｅ）は斜視図である。
【図９−３】同床面設置部材のガイド片の補強部材を示す斜視図である。
【図１０】同吊り戸の下部振止装置の床面設置部材の変形実施例を示し、（ａ）は平面図、（ｂ）はガイド片が伏した状態の正面図、（ｃ）はガイド片が起きた状態の正面図、（ｄ）はビス座を３方向から見た説明図である。
【発明を実施するための形態】
【００１３】
以下、本発明の吊り戸の下部振止装置の実施の形態を、図面に基づいて説明する。
【００１４】
図１〜図３に、本発明の吊り戸の下部振止装置の一実施例を示す。
この吊り戸の下部振止装置１は、床面Ｆに設置されるベース３及びこのベース３に基端部を支軸５を介して揺動突出可能に収納される、磁石６を備えたガイド片４からなる床面設置部材２と、この床面設置部材２の揺動突出したガイド片４が挿入される吊り戸Ｄに配設した、磁石６を備えたガイド片４が吸着される帯状の磁性体８を案内溝７１の天面の長手方向に備えた案内溝部材７とからなるようにしている。
この場合、床面設置部材２のベース３は、ベースカバー９によって外表面を覆うようにしている。
【００１５】
そして、この吊り戸の下部振止装置１は、ガイド片４を、先端部の両側に幅方向に突出する係止突起４１を形成した板状部材で構成し、案内溝部材７を、案内溝７１の両側壁にガイド片４の係止突起４１が係止される係合部７２を案内溝７１の長手方向に形成して構成し、ガイド片４を構成する板状部材の係止突起４１を形成した先端部の幅方向の寸法Ｗ１が、案内溝部材７の案内溝７１の開口部の幅方向の寸法Ｗ２よりも小さく設定してなるようにしている。
【００１６】
この場合において、ガイド片４は、アルミニウム、ステンレススチール等の金属、合成樹脂（本明細書において、ＦＲＰを含む。以下、同じ。）等の材料で構成することができる。
そして、ガイド片４の中心部、本実施例においては、ガイド片４の中心部の裏面に窪みを形成し、この窪みに板状の磁石６を配設するようにしている。
【００１７】
ガイド片４の先端部の両側に幅方向に突出するように形成する係止突起４１は、下面を傾斜面に形成するようにしている。
【００１８】
ガイド片４の基端部の両側には、ガイド片４の揺動範囲を規制する揺動規制突起４２を、ガイド片４の幅方向に突出するように形成する。
この揺動規制突起４２は、ベース３に形成した揺動規制突起収容部３２内に収容され、ガイド片４の揺動範囲を規制することができるようにしている。
【００１９】
ベース３には、ガイド片４を構成する板状部材の基端部の外側面を支持する支持部３１をベース３から立ち上がるように突設するようにしている。
これにより、ガイド片４にかかる負荷、特に、ガイド片４の幅方向からかかる負荷をベース３の支持部３１で支持することで、支軸５にかかる負荷を軽減し、支持強度を高めることができる。
【００２０】
本発明の吊り戸の下部振止装置の基本的な実施の形態は、上記実施例のとおりであるが、以下の変形実施例のように、その構成を変更することができる。
【００２１】
ガイド片４の係止突起４１が係止される案内溝部材７の案内溝７１の両側壁に形成する係合部７２は、本実施例においては、案内溝７１の開口部の幅方向の寸法Ｗ２を規定する案内溝７１の長手方向に伸びる突縁で構成するようにしたが、図４に示す変形実施例のように、案内溝部材７の案内溝７１の奥部の長手方向に伸びる溝で構成することもできる。
【００２２】
また、ベース３を、複数の部材、例えば、図５〜図８−２に示す変形実施例のように、ステンレススチール等の金属材料で構成した下部ベース３Ａと、下部ベース３Ａの上に一体に設けられる合成樹脂材料で構成した上部ベース３Ｂと、床面Ｆにビス（図示省略。）により固定された下部ベース３Ａ及び上部ベース３Ｂの上を覆う合成樹脂材料で構成したカバー部材３Ｃとからなる３つの部材で構成することができる。
ここで、金属材料で構成した下部ベース３Ａには、支軸５を支持するとともに、ガイド片４を構成する板状部材の基端部の外側面を支持する支持部３１を下部ベース３Ａから立ち上がるように突設するようにしている。
これにより、ガイド片４にかかる負荷、特に、ガイド片４の幅方向からかかる負荷を、金属材料で構成した強度の大きな下部ベース３Ａの支持部３１で支持することで、支軸５にかかる負荷を軽減し、支持強度を一層高めることができる。
【００２３】
また、ガイド片４を、複数の部材で構成する、例えば、図５及び図９−１〜図９−３に示す変形実施例のように、ガイド片４の本体部を合成樹脂材料で構成するとともに、ガイド片４の支軸５が挿通される基端部に金属材料で構成した補強部材４３を嵌着することで一体に設けるようにすることができる。
これにより、ガイド片４が当接することによる異音が生じることを防止しながら、ガイド片４にかかる負荷をガイド片４の基端部の金属材料で構成した補強部材４３で支持することで、ガイド片４にかかる負荷を支持し、支持強度を高めることができる。
【００２４】
また、ベース３の支持部３１に代えて、例えば、図１０に示す変形実施例のように、ベース３を床面Ｆに固定する際に使用するビスＳのビス座３３に支持部３３ａを突設するようにすることができる。
これにより、ガイド片４にかかる負荷、特に、ガイド片４の幅方向からかかる負荷を、ビス座３３に支持部３３ａで支持することで、支軸５にかかる負荷を軽減し、支持強度を高めることができる。
【００２５】
以上のとおり構成された吊り戸の下部振止装置１は、床面設置部材２のガイド片４が、ガイド片４に備えた磁石６の案内溝部材７の案内溝７１に備えた磁性体８に対する吸着作用によって、案内溝部材７の案内溝７１に挿入され、この状態が維持されることにより、吊り戸Ｄのガイドを行うことを基本としている。
そして、吊り戸Ｄに衝撃力がかかって揺れたりしても、ガイド片４の係止突起４１が案内溝部材７の案内溝７１の係合部７２に係止されることによって、案内溝７１内に挿入されているガイド片４が案内溝７１から離脱することがなく、ガイド片４の保持を確実にして吊り戸Ｄを安定的にガイドできる。なお、万一、ガイド片４が案内溝７１から離脱することがあっても、ガイド片４は、磁石６の吸着作用によって、案内溝７１の長手方向の任意の位置で案内溝７１内に挿入されるようにすることができるため、これによっても、吊り戸Ｄを安定的にガイドできる。
また、この吊り戸の下部振止装置１は、ベース３及びガイド片４からなる床面設置部材２の厚みを小さくすることが可能であるので、床面設置部材２を設置する床面Ｆに穴をあける等の加工を行う必要がなく、容易に床面Ｆに設置することができる。
【００２６】
以上、本発明の吊り戸の下部振止装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の吊り戸の下部振止装置は、ガイド片の保持を確実にして吊り戸を安定的にガイドできるようにするとともに、ガイド片を含む床面設置部材の厚みを小さくし、床面設置部材を設置する床面に穴をあける等の加工を行う必要がないという特性を有していることから、吊り戸の下部振止装置の用途に好適に用いることができる。
【符号の説明】
【００２８】
１  吊り戸の下部振止装置
２  床面設置部材
３  ベース
３Ａ  下部ベース
３Ｂ  上部ベース
３Ｃ  カバー部材
３１  支持部
３２  揺動規制突起収容部
３３  ビス座
３３ａ  支持部
４  ガイド片
４１  係止突起
４２  揺動規制突起
４３  補強部材
５  支軸
６  磁石
７  案内溝部材
７１  案内溝
７２  係合部
８  磁性体
９  ベースカバー
Ｄ  吊り戸
Ｆ  床面
Ｓ  ビス
Ｗ１  ガイド片の幅方向の寸法
Ｗ２  案内溝部材の案内溝の開口部の幅方向の寸法
【図１】
2019070307.tif 000003
【図２】
2019070307.tif 000004
【図３】
2019070307.tif 000005
【図４】
2019070307.tif 000006
【図５】
2019070307.tif 000007
【図６−１】
2019070307.tif 000008
【図６−２】
2019070307.tif 000009
【図７−１】
2019070307.tif 000010
【図７−２】
2019070307.tif 000011
【図８−１】
2019070307.tif 000012
【図８−２】
2019070307.tif 000013
【図９−１】
2019070307.tif 000014
【図９−２】
2019070307.tif 000015
【図９−３】
2019070307.tif 000016
【図１０】
2019070307.tif 000017